(57)【要約】      （修正有）【課題】天井や壁，床の空域に配置した温度感知センサーで感知した室内上中下空域の各温度表示を、集中視認器で一か所で集中して見ることにより、一目で室内空域間の温度差や温度変化を数値として認知し、室内空域感知温度計を基にした室内冷暖房効果促進法を提供する。【解決手段】懸吊紐Ｐを持つ懸吊ケース体Ｑに設けた３段の窓Ａ，Ｂ，Ｃに、夫々先端に天井空域用の温度センサー２ａ，中空空域用の温度センサー３ａ，床面空域用の温度センサー４ａを取り付けた導電コード２，３，４を有する温度数値表示盤ａ，ｂ，ｃを覗かせて固定し，各温度センサー２ａ，３ａ，４ａ基部の導線コード２，３，４にフック２２，３３，４４を取り付けて集中視認器とした室内空域感知温度計を基にして室内空域温度を数値的に調節制御をすることを特徴とした室内冷暖房効果促進法。【選択図】図１
2009270804.tif 000002
【特許請求の範囲】
【請求項１】
懸吊ケース体に、天井空域用，平均温度値となる中空空域用，床面空域用の温度数値表示盤を一体に収納固定して集中視認器とし、夫々の導線コードの先端に設けた温度センサーを、用途毎の空域に配置して夫々フックで吊るし、室内上中下空域或は必要に応じての部屋毎の温度環境を一か所で一目で視認管理し、室内空域間の温度差や温度変化を数値として認知し、空域の所要温度に対応した冷暖房機器や温度均一機器の数値的な調節作業の計画実施を容易にすることを特徴とした室内空域感知温度計を基にした室内冷暖房効果促進法。
【請求項２】
懸吊紐（Ｐ）を持つ懸吊ケース体（Ｑ）に設けた３段の窓（Ａ）（Ｂ）（Ｃ）に、夫々先端に天井空域用の温度センサー（２ａ），中空空域用の温度センサー（３ａ），床面空域用の温度センサー（４ａ）を取り付けた導電コード（２），（３），（４）を有する温度数値表示盤（ａ），（ｂ），（ｃ）を覗かせて固定し、各温度センサー（２ａ），（３ａ），（４ａ）基部の導線コード（２），（３），（４）にフック（２２），（３３），（４４）を取り付けてなる請求項１記載の室内空域感知温度の集中視認器。
【発明の詳細な説明】
【技術分野】
【０００１】  本発明は、天井や室内空間及び床の空域に配置した温度感知センサーで感知した室内上中下空域の各温度表示を、室内空域感知温度の集中視認器によって、一か所で集中して見ることにより、一目で温度差や温度変化を知り、冷暖房機器や温度均一機器の調整制御をすることが出来る、室内空域感知温度計を基にした室内冷暖房効果促進法及び集中視認器に関する。
【背景技術】
【０００２】  室内の空気を均一にするため、送風側に送風筒を保持した小型送風機を用いて天井付近から室内空気を還流せしめる方法は、例えば特許第３０３２８８６号によって提案されている。（特許文献１）【０００３】  更には、これを床面に設置して、室内空気を上方に向けて還流せしめる室内空気還流器は例えば実用新案登録第３１２００１４号によって提案されている。（特許文献２）
【特許文献１】特許第３０３２８８６号
【特許文献２】実用新案登録第３１２００１４号
【発明の開示】
【発明が解決しようとする課題】
【０００４】  一般的に暖房機や冷房によって室内空気を暖冷房する時は、暖かい空気は上昇して天井付近に滞留し、冷たい空気は床付近に分離して、室内空気は均一化されずに温度に上下のむらが生じるため、暖冷房機器の風量を大きく調節しても、ますます温度差が広がるのみで暖冷房効果が薄く、省エネには程遠いなど問題点があることから、特許文献１及び特許文献２によって室内空気を還流せしめることにより、室内空気温度を均一にする方法が提案されている。【０００５】  実施するに当たって、室内空気温度を均一にした場合、ユーザーによっては、天井空域の温度と床付近空域の温度の差異を体感的に感じるにしても、果たして上下温度均一の効果が曖昧として疑問視すること無きにしも非ず、更には、具体的に温度の差異や均一温度の設定値に対応して冷暖房機器や空気均一機器の調節制御を確実に行う場合は、これを数値的に視認して比較確認する必要が生じてくる。【０００６】  本発明は、天井や室内空間及び床に配置した温度感知センサーで感知した室内上中下空域の各温度表示を、一か所で集中して見ることにより、一目で温度差や温度変化を同時に知ることが出来、空気還流機器等によって体感的には感じる温度差又は均一な平均的室内空気温度を、具体的な数値で集中して比較確認できることによって、季節的な対応を含めて所要温度に数値的に対応した冷暖房機器や温度均一機器の強弱の調節制御を数値的に行うことが出来る室内空域感知温度計を基にした室内冷暖房効果促進法を提供するものである。
【課題を解決するための手段】
【０００７】  本発明は、懸吊ケース体に、天井空域用，平均温度となる中空空域用，床面空域用の温度数値表示盤を集中して一体に収納固定して集中視認器とし、夫々の導線コードの先端に設けた温度センサーを、用途毎の空域に配置して夫々フックで吊るし、室内上中下空域の温度環境を見易い位置で一か所で一目で視認管理することにより、所要温度に対応して冷暖房機器や空気還流機器等の数値的な調節作業の制御指針設定や手動，自動による操作の計画実施を容易にし、室内冷暖房効果を促進することを特徴とした室内空域感知温度計を基にした室内冷暖房効果促進法である。【０００８】  更には、冷暖房効果を促進する基となる温度センサーを持つ各温度数値表示盤を一体にした集中視認器の構成を特徴としたものである。【０００９】  各導電コードの長さは、室内の各空域や数部屋を各部屋毎検知する場合、夫々の距離に対応できるよう余分に巻き溜め、懸吊ケース体内に収納し置くものし、導線コード自体は集中視認器を室内所要の高さに保持する場合の上から吊す懸吊紐を兼ねるものとする。
【発明の効果】
【００１０】  本発明によれば、室内に冷暖房機器を設置して稼働した場合の上中下空域の温度差や、これに併用して室内空気還流器を稼働せしめた場合の室内全空域の均一温度が、数値で比較確認できると共に、一か所に居ながらにして一目で視認確認が可能であるため、冷暖房機器や室内空気還流機器が稼働中の室内の冷暖房環境をリヤルタイムに知って、直ちに所要温度に対応して設置機器の無駄なエネルギーを省いた操作調整を数値的に行うことが出来る効果と共に、調整操作の結果を数値的に視認して省エネ効果を現出実感出来る効果がある。
【発明を実施するための最良の形態】
【００１１】  本発明は、懸吊ケース体に、天井空域用，中空空域用，床面空域用の温度数値表示盤を集中して一体に収納固定して集中視認器とし、夫々の導線コードの先端に設けた温度センサーを、用途毎の空域に配置して夫々フックで吊るし、室内上中下空域の温度環境を一か所で一目で視認管理し、所要温度に対応して冷暖房機器や空気還流機器等の数値的な調節作業の制御指針設定や計画実施を容易にすることによって、室内冷暖房効果を促進する方法を特徴としたものであって、室内空域感知温度計を基にした室内冷暖房効果促進法である。【００１２】  本発明は、室内に冷暖房機器を設置して稼働した場合の上中下空域の温度差や、これに併用して室内空気還流器を稼働せしめた場合の室内全空域の均一温度が、数値で比較確認できると共に、一か所に居ながらにして一目で視認確認が可能であるため、冷暖房機器や室内空気還流機器が稼働中の室内の冷暖房環境をリヤルタイムに知って、直ちに所要温度に対応した設置機器の操作調整を行うことが出来るから、余分な電力など無駄なエネルギーを消費することなく省エネ効果が著しく大きい利点がある。【００１３】  冷暖房効果促進の基となる集中視認器は、図１に示すように、懸吊紐（Ｐ）を持つ懸吊ケース体（Ｑ）に設けた３段の窓（Ａ）（Ｂ）（Ｃ）に、夫々先端に天井空域用の温度センサー（２ａ），中空空域用の温度センサー（３ａ），床面空域用の温度センサー（４ａ）を取り付けた導電コード（２），（３），（４）を有する温度数値表示盤（ａ），（ｂ），（ｃ）を覗かせて固定し、各温度センサー（２ａ），（３ａ），（４ａ）基部の導線コード（２），（３），（４）にフック（２２），（３３），（４４）を取り付けた構成としたもので、使用に当たっては、懸吊ケース体（Ｑ）を管理する部屋の壁面等に懸吊紐（Ｐ）で懸吊して所要の高さに保持し、室内空域の温度環境を一か所で一目で視認管理する状態にする。【００１４】  各温度数値表示盤（ａ），（ｂ），（ｃ）の導電コード（２），（３），（４）を延ばして、上から順に夫々測定検知する室内の天井空域，中空空域，床面空域の中に先端の温度センサー（２ａ），（３ａ），（４ａ）を夫々のフック（２２），（３３），（４４）で保持して配置する。かくして各温度センサーで測定検知された室内の天井空域，中空空域，床面空域のリアルタイムの温度が、夫々の温度数値表示盤（ａ），（ｂ），（ｃ）表示面に数値的に液晶表示され、一か所で居ながらにして同時に各空域の温度を視認する出来ることになる。【００１５】  即ち、検知する部屋の上中下空域の温度数値が、並列して目視出来ることは、各空域の温度が比較されて直ちにその温度差を数値で知ることによって、直にも冷暖房機器の強弱調整や還流機等の配置計画に役立つと共に、省エネ対策の還流機等のエコ機器の稼働の効果を数値で確認することになり、従来、体感的でしか知ることが出来なかった室内空域の温度差や均一温度を体感と共に科学的な数値で確認することにより、安心感と共に省エネ対策を具体的な数値で対応することが出来るものである。【００１６】  設定する室内温度の均一温度は、幾つかの部屋のその目的に応じた数値に設定される場合があるが、本発明は、一つの部屋の室内上下空域の温度環境を感知計測するのみならず、導電コードを引き出して延ばすことにより、その目的に応じた幾つかの部屋毎に温度感知センサーを配置して、図２に示すように部屋数に応じた温度数値表示盤を一体に集中して対応せしめ、必要によっては、部屋毎の温度環境を目的別や段階的に変えたりするため、夫々の設定均一温度の平均値を部屋毎に感知計測して、それを基にして機器配置の計画是非や強弱適温調整などの制御実施を数値的に行うなど一か所で集中して常時視認管理することも出来る。
【図面の簡単な説明】
【００１７】
【図１】本発明集中視認器の実施例の斜視図である。
【図２】本発明の実施例の要部正面図である。
【符号の説明】
【００１８】  Ｐ  懸吊紐
Ｑ  懸吊ケース体
Ａ  窓
Ｂ  窓
Ｃ  窓
ａ  温度数値表示盤
ｂ  温度数値表示盤
ｃ  温度数値表示盤
２ａ  温度センサー
３ａ  温度センサー
４ａ  温度センサー
２  導電コード
３  導電コード
４  導電コード
２２  フック
３３  フック
４４  フック
【図１】
2009270804.tif 000003
【図２】
2009270804.tif 000004